(57)【要約】      （修正有）【課題】各面を容易に区別可能であり、剥離材の剥がしやすさを向上した皮膚用粘着テープを提供する。【解決手段】皮膚用粘着テープは、平面幾何学形状の基材３が、基材の第１面上および第２面上にそれぞれ、第１の粘着層２および第２の粘着層４を有し、第１の粘着層２は、第２の粘着層４よりも粘着力が強く、第２の粘着層４が、基材３とは反対側の面に、第２の粘着層４の全体を覆う剥離材５を有し、剥離材５が、スリット６によって、剥離材５平面に垂直な方向に分割されている。【選択図】図１
0003231506.tif 000002
【実用新案登録請求の範囲】
【請求項１】
平面幾何学形状の基材が、前記基材の第１面上および第２面上にそれぞれ、第１の粘着層および第２の粘着層を有し、
前記第１の粘着層は、前記第２の粘着層よりも粘着力が強く、
前記第２の粘着層が、前記基材とは反対側の面に、前記第２の粘着層の全体を覆う剥離材を有し、
前記剥離材が、スリットによって、前記剥離材平面に垂直な方向に分割されている、皮膚用粘着テープ。
【考案の詳細な説明】
【技術分野】
【０００１】
本考案は、衛生用マスクを、使用者の顔面に貼り付けるための両面粘着テープに関する。
【背景技術】
【０００２】
マスクは、病気の感染拡大の予防、花粉やＰＭ２．５のような微粒子の吸引防止などを目的に、広く使用されている衛生用品である。また、口腔や喉の湿潤を保つことや、化粧をしていない顔を隠すことなど、より広範な用途で用いられることもある。
【０００３】
マスクは一般に、ガーゼなどの織布または不織布で構成されたマスク本体に、マスク本体を口と鼻を覆う位置に固定するための耳かけ紐が付属している。多くの場合、耳かけ紐は伸縮性を有する素材で製造され、伸ばしながら耳にかけ、縮む力によって本体を固定する構造となっている。あるいは、紐を耳にかけるのではなく、紐を後頭部に回して固定する構造のものも存在する。後頭部でマスクを固定するものは、医療現場のような長時間の使用を想定する場合や、顔面への密着性が求められる場合に使用される。
【０００４】
このような、耳かけ紐によってマスクを固定する構造には、長時間にわたって着用する場合、耳に痛みを生じるという欠点がある。また、耳または後頭部でマスクを固定する構造には、散髪時など、不都合が生じる不都合が生じる利用シーンが存在する。
【０００５】
上記のような問題に対して、粘着剤（粘着材）によってマスクを顔面に装着することが提案されている。例えば、特許文献１には、粘着材を帯状に成形し、その両面に剥離紙または剥離フィルムあるいは剥離シートのうち１つの剥離材を備えていることを特徴とする接着部材が開示されている。特許文献１には、この接着部材を、医療手術用マスクに貼装して使用するという記載がある。しかしながら、マスクへの貼付がより容易で、顔面からマスクを取り外す際の不快感を回避可能な接着部材を提供するという観点において、なお改善の余地がある。
【先行技術文献】
【特許文献】
【０００６】
【特許文献１】特開２０１５−７１６３号公報
【考案の概要】
【考案が解決しようとする課題】
【０００７】
耳かけ紐によってマスクを長時間着用していると耳に痛みを生じるため、粘着剤によって顔面に貼り付けるマスクが提案されている。しかしながら、そのような製品はまだ少ないため、高機能なマスクを利用したい、自分の顔のサイズに合ったマスクを選択したい、好みのデザインのマスクを使用したいなどの需要には、十分な対応がなされていない。このような要望に対して、既存の衛生用マスクに、粘着テープを貼り付けて使用するという対処が考えられる。
【０００８】
一般的な両面テープを市販のマスクに貼り付ける場合、新たな課題が発生する。例えば、両面テープの粘着力が両面で同程度である場合、顔面に粘着させたマスクを取り外すときに、両面テープがマスクから剥がれ、顔面に残る場合がある。したがって、マスクを取り外す際に、両面テープが確実にマスク側に残るための構造が求められる。
【０００９】
また、両面テープの粘着力が各面で異なる場合、誤って粘着力が強い面を顔面に粘着させると、顔面から剥がす際に皮膚を痛めるおそれがあり、非常に危険である。また、粘着剤の成分によって、アレルギー反応を生じる懸念もある。したがって、粘着力が異なる両面テープの各面を、容易に区別可能な構造が求められる。
【００１０】
さらに、両面テープをマスクに貼り付けた直後は、マスクと両面テープとの間の接着がまだ安定していない。そのため、もう一方の面の剥離材を剥がそうとした際に、マスクから両面テープが剥がれてしまう場合がある。そのため、剥離材の剥がしやすさの向上が求められる。
【課題を解決するための手段】
【００１１】
上記課題を解決するため、本考案は、平面幾何学形状の基材が、基材の第１面上および第２面上にそれぞれ、第１の粘着層および第２の粘着層を有し、第１の粘着層は、第２の粘着層よりも粘着力が強く、第２の粘着層が、基材とは反対側の面に、第２の粘着層の全体を覆う剥離材を有し、剥離材が、スリットによって、剥離材平面に垂直な方向に分割されている、皮膚用粘着テープを提供する。
【考案の効果】
【００１２】
本考案の粘着テープは、各面の粘着力が異なる。そのため、粘着力の強い面をマスクに粘着させ、粘着力の弱い面を顔面に粘着させることによって、マスクを顔面から取り外す際に、粘着テープを確実にマスク上に残すことができる。また、顔面に粘着させる面には、スリットを有する剥離材を有する。そのため、粘着力が弱い面を、容易に識別することができる。さらに、スリットによって剥離材が分割されているため、スリットに沿った直線上で粘着テープを山折りすることによって、容易に剥離材を剥がすことができる。
【図面の簡単な説明】
【００１３】
【図１】本考案の両面粘着テープを模式的に示す断面図である。
【図２】本考案の両面粘着テープを貼付した衛生用マスクの平面図である。
【考案を実施するための形態】
【００１４】
本考案の粘着テープは、一方の面を衛生用マスクの局所に貼り付け、他方の面を使用者の顔面に粘着させることによって、マスクを装着するために用いる。したがって、粘着テープの寸法は、マスクの重量を支えるのに十分な粘着力を提供可能な寸法である。その形状は、任意の平面図形であってよいが、例えば、円形、楕円形、三角形や四角形などの多角形が挙げられる。
【００１５】
本考案における粘着層は、基材の第１面が、第２面よりも強い粘着力を有する。これは、例えば、基材の各面に異なる成分を有する粘着剤を塗布することによって達成することができる。マスクと基材とを接合するための第１面には、工業用の粘着力の強い成分を用いてよい。一方、皮膚に粘着させる第２面には、皮膚への刺激が少なく、安全性が確認されている、アクリル系などの医療用粘着剤を用いる。このような構成によって、皮膚に対する安全性の問題がなく、マスクを取り外す際に、両面テープが確実にマスク上に残ることとなる。
【００１６】
本考案の粘着テープは、第２の粘着層上に剥離材を有する。この剥離材によって、粘着テープを使用するまでに、意図に反して他の物体に粘着することが回避される。剥離材は、第２の粘着層の全体を覆っており、剥離材の形状および寸法は、粘着層と同じであってもよい。
【００１７】
剥離材にはスリットが設けられており、剥離材平面に垂直な方向に分割することができる。すなわち、１つの粘着層を覆う剥離材は、複数のピースからなる。これらのピースは、輪郭線の一部が互いに対応する形状を有し、この部分が接するように配置されている。本明細書および実用新案請求の範囲においては、接している対応する形状の部分を「スリット」と称する。剥離材平面上から見たスリットの形状としては、例えば、直線、直線または曲線からなる波型、および同じ大きさの凸部と凹部が挙げられる。
【００１８】
剥離材にスリットを設けることによって、どちらの面が粘着力の弱い第２の粘着層であるかを、容易に識別することができる。したがって、誤って粘着力の強い第１の粘着層を顔面に粘着させるおそれがなく、安全に使用することができる。また、スリットに沿って粘着テープを山折りすることによって、剥離材の端部が第２の粘着層から浮き上がり、容易に剥離材を剥がすことができる。
【００１９】
本考案の粘着テープはさらに、第１の粘着層が、剥離可能な台紙に貼付されてもよい。この台紙は、第２の粘着層が備える剥離材と、同じ材料であってもよい。この台紙には、台紙１枚当たり１つの粘着テープが貼付されてもよく、１枚の台紙に複数の粘着テープが貼付されてもよい。
【００２０】
上述の構成を模式的に示した図を、図１に示す。図の下から順に、任意選択の台紙、第１の粘着層、基材、第２の粘着層、剥離材が配置される。
【００２１】
一実施形態では、まず、第１の粘着層を台紙から剥がし、マスクに貼付する。この状態のマスクの平面図を、図２に示す。貼付位置は任意であってよいが、マスクの四隅に貼付することによって、安定に装着することができる。また、顔面の目立たない位置に対応させることによって、装着に起因する化粧崩れを回避することができる。あるいは、鼻から目の下に対応する位置に貼付することによって、呼気が眼鏡に導かれ、レンズを曇らせることを防止することができる。マスクに粘着テープを貼付したら、スリットに沿って粘着テープを山折りして剥離材を剥がし、使用者の顔面に当接させる。マスクの上から粘着テープを軽く押圧することによって、顔面に装着することができる。
【００２２】
なお、本考案は上記の実施形態に限定されるものではなく、本考案の趣旨に基づいて種々変形させることが可能であり、それらを本考案の範囲から排除するものではない。
【符号の説明】
【００２３】
１  台紙
２  第１の粘着層
３  基材
４  第２の粘着層
５  剥離材
６  スリット
７  マスク
８  粘着テープ
【図１】
0003231506.tif 000003
【図２】
0003231506.tif 000004